(57)【要約】【課題】ボールゲージやゲージ棒を交換することなく複数種のボールゲージを使用することのできるゲージ棒を提供すること。【解決手段】一端に相互に径の異なるボールゲージ２１ａ，２１ｂ，２１ｃが取り付けられるとともに他端が軸支部２２によって回動可能に軸支され、相互に全長の異なる複数のゲージ柄２３ａ，２３ｂ，２３ｃと、最も全長の短いゲージ柄２３ａ以外のゲージ柄２３ｂ，２３ｃに屈曲形成され、複数のボールゲージ２１を一列に配置したときに他のゲージ柄２３に取り付けられたボールゲージ２１との干渉を回避する迂回部２３ｂ−１，２３ｃ−１とを有するゲージ棒２０である。そして、ボールゲージ２１は、これらを一列に配列したときに、軸支部２２から見て順次径が拡大していくようにゲージ柄２３に取り付けられている。【選択図】図３
2007117615.tif 000002
【特許請求の範囲】
【請求項１】
一端に相互に径の異なるボールゲージが取り付けられるとともに他端が軸支部によって回動可能に軸支され、相互に全長の異なる複数のゲージ柄と、
最も全長の短いゲージ柄以外のゲージ柄に屈曲形成され、前記複数のボールゲージを一列に配置したときに他の前記ゲージ柄に取り付けられた前記ボールゲージとの干渉を回避する迂回部と、
を有することを特徴とするゲージ棒。
【請求項２】
前記複数のボールゲージは、これらのボールゲージを一列に配列したときに、前記軸支部から見て順次径が拡大または縮小していくように前記ゲージ柄にそれぞれ取り付けられている、
ことを特徴とする請求項１記載のゲージ棒。
【発明の詳細な説明】
【技術分野】
【０００１】
本発明は、パチンコ機の遊技盤に設けられた遊技釘を調整する際に用いられるゲージ棒に関するものである。
【背景技術】
【０００２】
パチンコ機には、発射装置から打ち出された遊技球が転動流下する遊技領域を有する遊技盤が設けられている。
【０００３】
遊技領域には、一般入賞口、通過ゲート、大入賞口、アウト口、始動口、普通電動役物などの遊技部材が取り付けられ、さらに多数の遊技釘や風車などの障害物が配置されている。
【０００４】
そして、遊技釘の間隔により遊技球の流下態様が影響されることから、結果として、遊技者にとっての関心事である始動口や入賞口に対する遊技球の入球のし易さが大きく左右されることになる。したがって、遊技釘がどのように調整されているかは、遊技の興趣を決定する重要な要素の一つとなる。
【０００５】
ここで、遊技釘の間隔の調整作業には、ボールゲージと呼ばれる遊技球を模した球状体がゲージ柄の先端に取り付けられたゲージ棒と、遊技釘を叩いてその立設方向を変えるためのハンマとが用いられる。すなわち、作業者は、ゲージ柄を持ち、ボールゲージを遊技釘に沿って遊技盤の盤面をなぞることで遊技球の流下態様を把握し、必要に応じてハンマで遊技釘の頭部を側方から叩いて立設方向を変え、これにより釘間隔を調整している。
【０００６】
このように、ゲージ棒は遊技球の流下態様を把握しながら釘調整が可能なことから、利便性に優れている。
【０００７】
遊技釘の間隔の調整に用いられるゲージ棒としては、例えば特許文献１に記載のように、ゲージ柄の両端に径が相互に異なるボールゲージが取り付けられたものが知られている。
【特許文献１】特開２００３−１１７１１０号公報
【発明の開示】
【発明が解決しようとする課題】
【０００８】
しかしながら、前述した特許文献１記載のような従来のゲージ棒では、ゲージ柄の両端にボールゲージが取り付けられる構造となっているため、同時に２種類の径の異なるボールゲージしか取り付けることができない。
【０００９】
そのため、ボールゲージの大きさをそれ以外の種類のものに変更するには、ボールゲージを着脱して交換するか、あるいは所望の径のボールゲージが取り付けられた他のゲージ棒に交換するしかない。
【００１０】
これでは、釘調整における作業性が悪化するのみならず、ボールゲージやゲージ棒の数が増加して部品管理が煩雑である。
【００１１】
そこで、本発明は、ボールゲージやゲージ棒を交換することなく複数種のボールゲージを使用することのできるゲージ棒を提供することを目的とする。
【課題を解決するための手段】
【００１２】
上記課題を解決するため、請求項１に記載の本発明のゲージ棒は、一端に相互に径の異なるボールゲージが取り付けられるとともに他端が軸支部によって回動可能に軸支され、相互に全長の異なる複数のゲージ柄と、最も全長の短いゲージ柄以外のゲージ柄に屈曲形成され、前記複数のボールゲージを一列に配置したときに他の前記ゲージ柄に取り付けられた前記ボールゲージとの干渉を回避する迂回部と、を有することを特徴とする。
【００１３】
これにより、必要な数だけゲージ柄を設けてその一端にボールゲージを取り付けることができ、所望の径のボールゲージが取り付けられたゲージ柄のみを回動させることで使用できるので、ボールゲージやゲージ棒を交換することなく複数種のボールゲージを使用することが可能になる。
【００１４】
請求項２に記載の本発明は、請求項１記載の発明の構成に加えて、前記複数のボールゲージは、これらのボールゲージを一列に配列したときに、前記軸支部から見て順次径が拡大または縮小していくように前記ゲージ柄にそれぞれ取り付けられている、ことを特徴とする。
【００１５】
これにより、目視では判別しにくい僅かな径の差のボールゲージが複数取り付けられていても、現在使用しているボールゲージを基準にして径の大小を判断できるので、所望の径のボールゲージを速やかに選別することができる。
【発明の効果】
【００１６】
本発明によれば以下の効果を奏することができる。
【００１７】
すなわち、本発明によれば、ボールゲージやゲージ棒を交換することなく複数種のボールゲージを使用することが可能になる。
【発明を実施するための最良の形態】
【００１８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１９】
図１は本発明の一実施の形態であるゲージ棒により釘調整が行われるパチンコ遊技機を示す斜視図、図２は図１のパチンコ遊技機に装着された遊技盤を示す斜視図、図３は本発明の一実施の形態であるゲージ棒を示す斜視図、図４は図３のゲージ棒の平面図、図５は図３のゲージ棒の使用例を示す説明図、図６は図３のゲージ棒を用いた釘調整作業を示す説明図である。
【００２０】
図１に示すように、パチンコ遊技機（遊技機）１は、遊技盤２が装着された本体枠３ａがヒンジを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２１】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２を通して視認可能になっている。
【００２２】
上述したような遊技盤２の下方には、図１に示すように、皿ユニット５が配置されている。皿ユニット５の上部に、払い出された遊技球および遊技領域２ａ（図２）に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０が設けられている。
【００２３】
皿ユニット５の右側には、レール６を介して遊技盤２の遊技領域２ａへ遊技球を打ち込む際に回動操作されるハンドル７が設けられている。ハンドル７には遊技球の発射を停止するストップボタン（図示せず）が設けられている。
【００２４】
なお、ガラス扉４の上部の左右には、スピーカ８ａ，８ｂがそれぞれ配置されている。
【００２５】
図２に示すように、遊技盤２は、ポリカーボネートなど透明な樹脂製の部材からなり、発射された遊技球が打ち込まれて流下する遊技領域２ａには、多数の遊技釘１１や風車（図示せず）などの障害物、誘導部材１３，１７、一般入賞口１２、始動口１４、大入賞口１５、アウト口１６などが設けられている。
【００２６】
ここで、遊技盤２には、遊技領域２ａに発射された遊技球の流下方向を変化させる複数の遊技釘１１を取り付けるための釘下孔が設けられている。一方、遊技釘１１は、螺旋状に形成された凸部（ねじ山）を外周に有しており、このような遊技釘１１が螺旋状に形成された凹部（ねじ谷）を内周に有する釘下孔にねじ込まれることによって、遊技盤２に立設されている。
【００２７】
なお、誘導部材１３は、遊技球が流下可能な遊技領域２ａの上方に設けられ、遊技盤２に対して直角に立設された壁体によって構成されている。また、誘導部材１７は、遊技領域２ａの下方に設けられ、遊技盤２の面に対して直角に立設された壁体によって構成されている。
【００２８】
また、一般入賞口１２は、当該一般入賞口１２に遊技球が入球すると、所定数（例えば、１５個）の遊技球が賞球として払い出されるように構成されている。
【００２９】
始動口１４は、当該始動口１４内に設けられた始動領城を遊技球が通過すると、遊技状態を大当り状態に移行させるか否かの判定（大当り判定）に用いる乱数が抽出される。
【００３０】
大入賞口１５は、遊技状態が大当り状態に移行されると、所定の条件に従って開閉するように構成されている。また、大入賞口１５は、当該大入賞口１５に遊技球が入球すると、所定数（例えば、１５個）の遊技球が賞球として払い出されるように構成されている。
【００３１】
そして、アウト口１６は、一般入賞口１２、始動口１４および大入賞口１５等の何れにも入球しなかった遊技球を受け入れるものである。なお、図２において、遊技釘１１は一部しか図示されていないが、実際にはさらに多数の遊技釘が固定されている。
【００３２】
略四角形の遊技盤２の４カ所の隅部は切り欠かれており、本体枠３ａに設けられた固定部材（図示せず）がこれらの切り欠きに係合することにより、遊技盤２が本体枠３ａに固定される。
【００３３】
さて、遊技盤２に立設され、遊技球の流下態様に影響を与える遊技釘１１の間隔を調整する作業で用いられるゲージ棒２０は、図３および図４に示すように、一端にボールゲージ２１（２１ａ，２１ｂ，２１ｃ）がハンダにより取り付けられ、他端が軸支部２２によって回動可能に軸支された３本の細長い板状のステンレス鋼からなるのゲージ柄２３（２３ａ，２３ｂ，２３ｃ）を有している。これらのゲージ柄２３は相互に全長が異なっており、さらに、最も全長の短いゲージ柄２３ａ以外のゲージ柄２３ｂ，２３ｃには、ボールゲージ２１ａ，２１ｂ，２１ｃを一列に配置したときに他のゲージ柄に取り付けられたボールゲージとの干渉を回避する迂回部２３ｂ−１，２３ｃ−１が、ボールゲージ２１ａ，２１ｂと所定の間隔が開くように湾曲した半円形に形成されている。
【００３４】
なお、図示するゲージ棒２０では３本のゲージ柄２３ａ，２３ｂ，２３ｃが設けられているが、ゲージ柄の本数は３本に限定されるものではなく、自由に設定することができる。したがって、ボールゲージの個数も３個に限定されるものではなく、設けられたゲージ柄の本数と同一となる。
【００３５】
また、迂回部２３ｂ−１，２３ｃ−１は湾曲形状となっているが、例えば角形に折り曲げた形状など、他の形状であってもよい。つまり、迂回部はボールゲージ２１ａ，２１ｂ，との干渉が回避できる形状に屈曲形成されている限り、種々の形状とすることができる。
【００３６】
さらに、ボールゲージ２１ａ，２１ｂ，２１ｃはハンダでそれぞれゲージ柄２３ａ，２３ｂ，２３ｃに取り付けられているが、取り付け態様はどのようなものであってもよい。例えば、ゲージ柄２３ａ，２３ｂ，２３ｃの先端に雄ねじ部を設け、この雄ねじ部が螺合する雌ねじ部をボールゲージ２１ａ，２１ｂ，２１ｃに形成することにより、ボールゲージ２１ａ，２１ｂ，２１ｃをねじ止めによりゲージ柄２３ａ，２３ｂ，２３ｃに取り付けるようにしてもよい。
【００３７】
そして、本実施の形態では、ゲージ柄２３ａ，２３ｂ，２３ｃにはステンレス鋼が用いられており、錆に強く長期の使用が可能で、しかも膨張率が比較的小さく温度や湿度による寸法に狂いが生じにくくなっているが、ステンレス鋼以外の金属や合成樹脂等を使用してもよい。
【００３８】
ここで、各ゲージ柄２３ａ，２３ｂ，２３ｃに取り付けられたボールゲージ２１ａ，２１ｂ，２１ｃはパチンコ玉と呼ばれる遊技球と同一の構造、すなわち球状の軟鉄の表面にクロームメッキを施した構造となっている。
【００３９】
これらのボールゲージ２１ａ，２１ｂ，２１ｃは径が相互に異なっている。すなわち、ボールゲージ２１ａ，２１ｂ，２１ｃを一列に配列したときに、最も軸支部に近い側に位置するボールゲージ２１ａの径は１１．００ｍｍ、その隣のボールゲージ２１ｂの径は１１．２５ｍｍ、さらにその隣のボールゲージ２１ｃの径は１１．５０ｍｍと、０．２５ｍｍ刻みとなっている。
【００４０】
なお、本実施の形態では、ボールゲージ２１ａ，２１ｂ，２１ｃは、このように軸支部から見て順次径が拡大するようにゲージ柄２３ａ，２３ｂ，２３ｃに取り付けられているが、逆に軸支部から見て順次径が縮小していくように取り付けられていてもよい。さらに、径の大小の順序で取り付けられていなくてもよい。
【００４１】
但し、ボールゲージ２１ａ，２１ｂ，２１ｃが径の大小の順序で取り付けられていれば、０．２５ｍｍ刻みのように目視では判別しにくい僅かな径であっても、現在使用しているボールゲージを基準にして径の大小を判断できるので、作業者が望む径のボールゲージを速やかに選別することができる。
【００４２】
また、本実施の形態では、ボールゲージ２１ａ，２１ｂ，２１ｃは、遊技球の径（１１．００ｍｍ）と、これより少しずつ大きくなる径であるが、径の大きさは自由に選定することができる。したがって、ボールゲージ２１ａ，２１ｂ，２１ｃの径の差は必ずしも０．２５ｍｍ刻みとなっていなくてもよい。
【００４３】
次に、以上の構成を有するゲージ棒２０を用いた釘調整作業について説明する。
【００４４】
作業者は、ガラス扉４を開いて遊技盤２を直接触手可能な状態とするとともに、例えば１１．２５ｍｍのボールゲージ２１ｂを使用するために、当該ボールゲージ２１ｂの取り付けられたゲージ柄２３ｂのみを軸支部２２を支点に回動させて扇状に広げる（図５）。
【００４５】
次に、ゲージ柄２３ａ，２３ｂ，２３ｃを把持し、ボールゲージ２１ｂを遊技釘１１に沿って遊技盤２の盤面をなぞることで遊技球の流下態様を把握する。このようにして流下態様を把握したならば、遊技盤２の釘間隔を調整すべき箇所に当該ボールゲージ２１ｂを当てて寸法を測定し、釘間隔を拡げるべきか、あるいは狭めるべきか決定する。そして、この決定に従って、図示しないハンマで遊技釘１１の頭部を側方から所定の方向に向けて叩いてその立設方向を変え、釘間隔の調整を行う。
【００４６】
このとき、釘間隔を狭めると決定し、そのために例えば１１．００ｍｍ径のボールゲージ２１ａが必要となったならば、それまで広げていた１１．２５ｍｍのボールゲージ２１ｂが取り付けられたゲージ柄２３ｂを閉じ、今度は１１．００ｍｍ径のボールゲージ２１ａが取り付けられたゲージ柄２３ａを回動させて扇状に広げる。そして、当該ボールゲージ２１ａを釘間に持って行き（図６）、前述のようにハンマで遊技釘１１を叩いて立設方向を変える。
【００４７】
一方、釘間隔を拡げると決定し、そのために例えば１１．５０ｍｍ径のボールゲージ２１ｃが必要となったならば、それまで広げていた１１．２５ｍｍのボールゲージ２１ｂが取り付けられたゲージ柄２３ｂを閉じ、今度は１１．５０ｍｍ径のボールゲージ２１ｃが取り付けられたゲージ柄２３ｃを回動させて扇状に広げる。そして、当該ボールゲージ２１ｃを釘間に持って行き、同様にしてハンマで遊技釘１１を叩いて立設方向を変える。
【００４８】
このように、本実施の形態のゲージ棒２０によれば、相互に全長の異なる複数のゲージ柄２３の一端に相互に径の異なるボールゲージ２１が取り付けられ、他端が軸支部２２によって回動可能に軸支されているので、必要な数だけゲージ柄２３を設けてその一端にボールゲージ２１を取り付け、所望の径のボールゲージが取り付けられたゲージ柄のみを回動させることで釘調整作業を行うことができる。
【００４９】
これにより、釘調整作業に多種類のボールゲージが必要な場合であっても、ボールゲージを着脱して交換したり所望の径のボールゲージが取り付けられた他のゲージ棒に交換することなく複数種のボールゲージを使用することが可能になる。
【００５０】
また、複数のボールゲージ２１を、これらのボールゲージ２１を一列に配列したときに、軸支部から見て順次径が拡大（または縮小）していくようにゲージ柄２３にそれぞれ取り付けているので、目視では判別しにくい僅かな径の差のボールゲージ２１が複数取り付けられていても、現在使用しているボールゲージを基準にして径の大小を判断できるので、所望の径のボールゲージを速やかに選別することが可能になる。
【産業上の利用可能性】
【００５１】
以上では、本発明のゲージ棒を遊技球払出式のパチンコ遊技機における釘調整に用いた場合が説明されているが、例えば遊技球が機内に封入されて循環する遊技球封入式のパチンコ遊技機など、様々なパチンコ遊技機における釘調整に用いることができる。
【図面の簡単な説明】
【００５２】
【図１】本発明の一実施の形態であるゲージ棒により釘調整が行われるパチンコ遊技機を示す斜視図である。
【図２】図１のパチンコ遊技機に装着された遊技盤を示す斜視図である。
【図３】本発明の一実施の形態であるゲージ棒を示す斜視図である。
【図４】図３のゲージ棒の平面図である。
【図５】図３のゲージ棒の使用例を示す説明図である。
【図６】図３のゲージ棒を用いた釘調整作業を示す説明図である。
【符号の説明】
【００５３】
１  パチンコ遊技機（遊技機）
２  遊技盤
２ａ  遊技領域
３  遊技機本体
３ａ  本体枠
３ｂ  ベース枠
４  ガラス扉
５  皿ユニット
５ａ  上皿
５ｂ  下皿
６  レール
７  ハンドル
８ａ，８ｂ  スピーカ
１０  シャッタレバー
１１  遊技釘
１２  一般入賞口
１３  誘導部材
１４  始動口
１５  大入賞口
１６  アウト口
１７  誘導部材
２０  ゲージ棒
２１，２１ａ，２１ｂ，２１ｃ  ボールゲージ
２２  軸支部
２３，２３ａ，２３ｂ，２３ｃ  ゲージ柄
２３ｂ−１，２３ｃ−１  迂回部
４０  液晶ユニット
【図１】
2007117615.tif 000003
【図２】
2007117615.tif 000004
【図３】
2007117615.tif 000005
【図４】
2007117615.tif 000006
【図５】
2007117615.tif 000007
【図６】
2007117615.tif 000008